(57)【要約】スポーツボード（１９）のために、嵌め込みアーチ部（１２）の備わった足静止摩擦用パッド（１０，１０′，１０′′）が設けられている。このアーチ部（１２）は、移動するとともにユーザーの足に適合して足の動きがあるときにはいつも適合し続けるであろう流体が含まれている袋体（４０）から構成されている。袋体（４０）は、パッドカバーの下にあるとともにそれに取り付けられている。パッド（１０，１０′，１０′′）の平面から上方へ、足接触構造体が延在している。この構造体は、袋体（４０）の後方縁部から離間されており、１つ以上の小さい袋体を含んでいてもよい。接触構造体は、この袋体長軸に対して横方向に配置されている。パッド（１０，１０′，１０′′）のカバーは接触構造体の上にある。パッド（１０，１０′，１０′′）は、一体化された単一体であってもよく、または、異なるスポーツボード（１９）の大きさおよび形状を受け入れるための周辺の分割片を有していてもよい。
2005512894.tif 000002
【特許請求の範囲】
【請求項１】
パッド（１０）と、このパッドにおける少なくとも１つのアーチ部（１２）とを備え、前記アーチ部が流体充填型圧縮性部材からなる、足静止摩擦用アセンブリー。
【請求項２】
前記圧縮性部材が、ユーザーの足が前記アーチ部に押し付けられたときにユーザーの足の裏側部分に適合する少なくとも１つの流体充填型袋体からなる、請求項１記載のアセンブリー。
【請求項３】
前記パッドは裏面を有し、前記圧縮性部材は前記裏面に固定されている、請求項１または２記載のアセンブリー。
【請求項４】
前記パッドは中心軸を有し、前記アーチ部は前記パッド中心軸にほぼ平行な長軸を有している、請求項１、２または３のいずれかに記載のアセンブリー。
【請求項５】
前記パッドはアーチ状開口を有し、前記圧縮性部材は前記アーチ状開口の下に設けられるとともに前記アーチ状開口を通して視認可能とされている請求項３または４に記載のアセンブリー。
【請求項６】
前記パッドから上方へ延在し、前記アーチ部から所定距離離間された、少なくとも１つの足接触部材を含む先行請求項のいずれかに記載のアセンブリー。
【請求項７】
前記足接触部材が、前記中心軸に対してほぼ垂直に延在する長さ範囲を有している請求項６に記載のアセンブリー。
【請求項８】
前記アーチ部が垂直範囲を有し、かつ前記足接触部材が前記アーチ部の垂直範囲よりも大きい垂直範囲を有している請求項６または７に記載のアセンブリー。
【請求項９】
前記足接触部材および前記アーチ部は、足が前記アーチ部および前記足接触部材と同時に接触できるように、互いに十分接近している請求項６〜８のいずれかに記載のアセンブリー。
【請求項１０】
前記足接触部材は細長状開口を含み、前記アセンブリーは前記細長状開口の中に少なくとも１つの圧縮可能な囲み部を含んでいる請求項６〜９のいずれかに記載のアセンブリー。
【請求項１１】
少なくとも１つの隆起したアーチ状支持部をパッドの中に含み、前記アーチ状支持部が圧縮性材料からなる足静止摩擦用パッド（１０）。
【請求項１２】
前記アーチ状支持部が、少なくとも１つの流体が充填された囲み部からなる請求項１１に記載のパッド。
【請求項１３】
前記パッドは、前記アーチ状支持部の上方にアーチ状開口を有するカバーを含み、このカバーを通して前記アーチ状支持部が視認可能なようになっている請求項１１または１２に記載のパッド。
【請求項１４】
前記パッドは中心軸を有し、前記アーチ状支持部は前記中心軸に対して同軸または平行に延在する長軸を有している請求項１１〜１３のいずれかに記載のパッド。
【請求項１５】
前記パッドは、前記アーチ状支持部からずれた少なくとも１つの足接触部材を有している請求項１１〜１４のいずれかに記載のパッド。
【請求項１６】
前記足接触部材が、前記アーチ状支持部に対して横方向に延在する細長状構造体からなる請求項１５に記載のパッド。
【請求項１７】
前記足接触部材が、少なくとも１つの流体充填型圧縮性部材を含んでいる請求項１５または１６に記載のパッド。
【請求項１８】
前部および後部のある上面を有するサーフボード（１９）であって、
前記後部に取り付けられた少なくとも１つの足静止摩擦用パッド（１０）と、
このパッドに包含された、流体充填型袋体（４０）からなる少なくとも１つのアーチ状支持部（１２）と、
を備えてなるサーフボード（１９）。
【請求項１９】
前記パッドは、裏面を有するカバーを含み、前記アーチ状支持部は前記裏面に取り付けられている請求項１８に記載のサーフボード。
【請求項２０】
前記サーフボードは長軸を有し、かつ前記アーチ状支持部は前記長軸とほぼ同軸をなす中心軸を有している請求項１８または１９に記載のサーフボード。
【請求項２１】
前記アーチ状支持部は前記パッドから上方へ延在し、かつ、前記パッドは、前記アーチ状支持部よりも大きい距離だけ前記パッドから上方へ延在する少なくとも１つの足接触部材を含んでいる請求項１８〜２０のいずれかに記載のサーフボード。
【請求項２２】
最後尾を有し、前記足接触部材が前記アーチ状支持部と前記最後尾との間に配置されている請求項２１に記載のサーフボード。
【請求項２３】
前記足接触部材が、少なくとも１つの流体充填型圧縮性部材を含んでいる請求項２１または２２に記載のサーフボード。
【請求項２４】
前記パッドが、２つ以上の分割片によって囲まれた少なくとも１つのアーチ状支持部分を含んでいる請求項１８〜２３のいずれかに記載のサーフボード。
【請求項２５】
少なくとも１つの隆起したアーチ状区域を有するカバーを含み、このアーチ状区域が、流体の充填された少なくとも１つの囲み部を含んでいるサーフボード用足パッド（１０）。
【請求項２６】
前記流体が、空気、ガス、液体またはゲルである請求項２５に記載の足パッド。
【請求項２７】
前記流体が、粒子、薄片、気泡および／または着色剤を含んでいる請求項２５または２６に記載の足パッド。
【請求項２８】
前記囲み部が、１つ以上の突出部を有する囲み壁によって画定されている請求項２５〜２７のいずれかに記載の足パッド。
【請求項２９】
前記囲み部が、囲み壁によって画定された内側部を有し、その囲み壁が、前記内側部の内部にある１つ以上の壁体によって支持されている請求項２５〜２８のいずれかに記載の足パッド。
【請求項３０】
前記足パッドは中心軸を有し、前記囲み部は前記中心軸とほぼ同軸である長軸を有している請求項２５〜２９のいずれかに記載の足パッド。
【請求項３１】
前記アーチ状区域から離間された、少なくとも１つの隆起した足接触構造体を含んでいる請求項２５〜３０のいずれかに記載の足パッド。
【請求項３２】
前記カバーは所定の厚さを有し、前記足接触構造体は、前記所定の厚さの少なくとも２倍の厚さを有している請求項３１に記載の足パッド。
【請求項３３】
前記足接触構造体が、１つ以上の流体充填型圧縮性部材を含んでいる請求項３１または３２に記載の足パッド。
【請求項３４】
前記カバーは、連続的なパッド面を形成するように相互にフィットする複数の部分からなる請求項２５〜３３のいずれかに記載の足パッド。
【請求項３５】
前記カバーは、少なくとも１つの隆起した足接触構造体を含み、かつ、前記アーチ状区域が、前記足接触構造体と一体をなす中央部を含む請求項２５〜３４のいずれかに記載の足パッド。
【発明の詳細な説明】
【技術分野】
【０００１】
この発明は、一般にクッション性のある足パッドに関するものである。この発明は、さらに詳しくは、足の安定性を増大させるとともに操作性を促進するスポーツボードのための足パッドに関するものである。
【背景技術】
【０００２】
サーファーと、関連したスポーツボードのユーザーとは、三角波の立った水域、大きい波、強風、および一様でない地形のような困難な状況に直面することが多い。自分のボードをコントロールするためには、そのボードとユーザーの両足との間に効果的なつながりがなければならない。いくつかのボードスポーツでは、人の両足をボードに固定するためにバインディングが使われてきた。しかしながら、バインディングは、ボードの操作の間に適切な平衡中心を維持するために必要である足の動きを制限する。足のコントロールのための非拘束性手段には、ボードの表面におけるワックスまたは砂のコーティングが含まれる。他の手段は、うね付きパッド、テーパー付きパッド、および足保持用空洞付きパッドである。
【０００３】
特許第５，５２９，５２３号においては、足支え手段を設けるために長手方向に延在するＶ字状の溝が使われている。しかしながら、このような開放した溝では、最小限のてこ作用がもたらされるだけであり、そのため、急旋回をするときに効果的ではない。
【０００４】
特許第５，９１０，０３５号においては、ボードを横切って横方向へ延在する楔形のパッドが示されている。この装置によれば、一方向だけに非対称の足てこ作用がもたらされる。そのため、この装置では実用性が制限されている。
【０００５】
特許第５，７６６，０５１号においては、ウェークボードのフロントノーズに隣接する薄い内側側縁から厚い側縁まで段階的にテーパーの付けられたパッドが示されている。このパッドには、長手方向にテーパーしているアーチ状の片寄り支持部も開示されており、この支持部には、足のくるぶし区域およびかかと区域のためのくぼみが備わっている。このような設計の問題点は、それが足専用のものであるということである。そのため、実用性が制限されている。加えて、段階的にテーパーが付いていることで、ユーザーの平衡中心を不自然にずらす厚い区域が多すぎる。このような構造は、ボードのコントロールの役に立つことはなく、むしろ妨げになる。さらに、段階的なテーパーでは、ユーザーの足がそのパッドの端部から滑り外れるのを防止するための凸状接触部が設けられていない。
【０００６】
特許第５，４６０，５５８号においては、急旋回を行うときにユーザーの足のための確実な接触部をもたらす足サドルが開示されている。このようなサドルによれば、足がボードの後端部から滑り外れるという前記の問題は解消される。しかしながら、このようなサドルには、その下側にどのような静止摩擦用パッドもないために足の滑りをコントロールするための手段が何もなく、また、アーチ状支持部を安定化することについてどのような言及もない。
【発明の開示】
【発明が解決しようとする課題】
【０００７】
この発明は、アーチ状支持部のための少なくとも１つの流体充填型圧縮性部材が備わっている足パッドを設けることによって、従来技術における数々の欠陥を克服するものである。この圧縮性部材には密封された囲み部（enclosure）が備わっており、内部における流体の移動が可能になっている。流体の移動は、ユーザーが足をその囲み部の上へ置くことによって囲み部へ下向き圧力を伝えるときに、生じる。この作用によって、囲み部の壁部が動いて、ユーザーの足の輪郭が変わるようになる。ボードへの輪郭連結がそれによって達成され、足の位置がかなり安定化する。このような安定化によって、次に、あらゆる型の操作または環境条件についてのボードのコントロールがかなり促進される。
【０００８】
このパッドは、全体が単一の構成からなっているものでもよく、大きさおよび形状の点での変形が可能なように分割されたものでもよい。このパッドには、１つ以上の流体充填型圧縮性部材がさらに組み入れられうるような足接触構造体が含まれていてもよい。
【課題を解決するための手段】
【０００９】
この発明の好ましい実施形態は、以下の説明を考慮に入れた添付図面から、もっともよく理解されるであろう。
【発明を実施するための最良の形態】
【００１０】
さて、図面の図１および図２によれば、この発明の足パッドが示され、全体として参照符号１０によって表されている。簡単に概観すれば、このパッドは、実質的に卵形のアーチ部１２と、このアーチ部を包囲する一対の鏡像状湾曲中間部分１４，１４と、これらの中間部分の側面に位置する一対の鏡像状湾曲キック部１６，１６とを備えてなる。アーチ部、中間部分およびキック部は組み合わされて、他のどのようなスポーツボード足パッドとも似ていない特徴構成のある全体パッドアセンブリーが作り出されている。
【００１１】
パッド１０の全体は、中心軸１８に関して対称的に方位付けられているのが好ましく、また、卵形アーチの主軸は、パッドの中心軸１８に一致するように置かれている。図５で一番よく分かるように、このパッドがサーフボード１９に取り付けられると、中心軸１８は、このサーフボードの中心線である長軸と同軸であるように心合わせされているのが好ましい。しかしながら、静止摩擦用パッドは、ボードの中心線に対して角度を付けて心合わせされていてもよく、かつ／または、ボードの中心線からずれた位置に置かれていてもよい。この明細書に用いられているように、用語「スポーツボード」には、サーフボード、ウェークボード、スケートボード、ブギボードおよびセールボードが含まれる。この用語には、増大した足静止摩擦力が望ましいボードデッキまたは他の構造体も含まれる。逆に言えば、用語「ボード」または「サーフボード」の使用は、どのようなスポーツボードも含まれることを意味している。
【００１２】
先に述べたように、このパッドは、図１８に示されたように、全体として単一のユニットからなっている単一パッドであってもよく、または、図１および図１６に示されたように、部分のアセンブリーからなっていてもよい。どちらにしても、スポーツボードの上面への取り付けについては、パッドの下側に接着剤コーティング４２が設けられている。このコーティングは背面シート４３で保護されており、このシートは、スポーツボードへのパッド（またはその部分）の取り付けに先立って除去される。
【００１３】
アーチ部には、アーチ状カバー38で被覆されたアーチ状袋体４０が備わっている。このカバーは一般に、その袋体の形状に対応する凸状形態を呈している。この袋体は、その特定の目的とパッドにおける位置とに応じて、球状、管状、長楕円形またはドーナツ形状をとることができる。この袋体は、弾性ポリマーやゴム化合物のような柔軟な流体不浸透性材料から構成すべきである。この袋体には、使用中に運動力を受けたときに破裂するのを防止するために、十分な壁体強度が備わっているべきである。
【００１４】
この袋体の内部は、開放状であってもよく、支持壁を含むものであってもよい。この内部は、踏み付けられたときやスポーツボード操作の際に使用されたときにつぶれるのを防止するために、十分な流体を入れておくべきである。図６に示されたように、袋体４０は、卵形輪郭をもたらすために、長楕円形である。この輪郭は周縁部４１によって画定されている。
【００１５】
この袋体を定位置に固定するために、アーチ状カバーの下面には、この袋体が接着される接着剤層が設けられていてもよい。さらに、このアーチ状カバーには、アーチ状の袋体縁部４１を越えて延在するスカート部分３９が含まれている。このスカート部分の下面にも接着剤層が設けられており、パッド取付過程の際に、袋体の縁部がこのスカート部分に固定されるとともに、袋体全体が取り囲まれてサーフボードの上面に固定されるようになっている。
【００１６】
アーチ状カバーには、下にあるアーチ状袋体を露出するために、１つ以上の開口が設けられていてもよい。示されたように、アーチ状カバーには、２対の細長状の開口５４ａ〜ｄが鏡像状に形成されているが、これらの開口によって、アーチ状袋体の対応隆起部分５２ａ〜ｄが露出している。この袋体には、最終用途の設計上の必要性によって決定される他の突出部または他の所定起伏があってもよい、ということは予想される。この袋体は、透明であってもよく、または、美学的に見て美しい目立つ外観をもたらすために、パッドを覆う色と対照をなす色が付けられていてもよい。これに代えて、袋体の中の流体には、色が付けられていてもよく、かつ／または、人の関心を引く効果をもたらすために反射性粒子が組み入れられていてもよい。
【００１７】
図６〜図１０によれば、袋体４０は、柔軟な外側壁体４９のある密封された囲み部からなっている。この囲み部の内側中間部には、縦方向に延在する２つの内側壁体５０がある。これらの内側壁体は、この囲み部の内側表面に封止されているとともに、中央チャンバー（中央室）４６を画定するために離間されている。それぞれの内側壁体５０の外側ボード側における内側区域は、外側ボードチャンバー４８として言及されている。
【００１８】
図６においてもっともよく分かるように、前記内側壁体の両端部は互いに連結されて、卵形の中央チャンバーが形成されている。外側ボードチャンバーは、中央チャンバーを囲んでおり、また、中央チャンバーの周りに連続的な開放溝をもたらしている。前記の隆起部分５２ａ〜ｄは、図７〜図９においてもっともよく分かるように、外側ボードチャンバーの前方区域および後方区域から上方へ延在している。これらの隆起部分、中央チャンバー４６および外側ボードチャンバー４８は、中心軸１８に関して方位付けられている。
【００１９】
中央チャンバー４６および外側ボードチャンバー４８は空気で満たされているのが好ましい。しかしながら、水、粘性溶液、ゲルなどのような他の流動媒体もまた予想されるとともに、この発明の範囲内で考慮される。空気が用いられるときには、袋体は約１０〜５０ｐｓｉの圧力範囲まで膨らまされるのが好ましい。
【００２０】
前記中間部分のそれぞれには、アーチ部１２の卵形形状に対応する曲率のある湾曲状の内側縁部２０がそれぞれ含まれている。この湾曲状の内側縁部２０は、直線状の前方縁部２２の中へ連なっている。直線状の前方縁部２２は、図１、図２および図５においてもっともよく分かるように、前記中間部分の前方部分で、湾曲状の内側縁部２０から離間されたアーチ形の外側縁部２４の中へ延在している。それぞれの中間部分の後方では、アーチ形の外側縁部２４は湾曲状の内側縁部２０の中へ直接連なっている。このような構成によって、中間部分の幅は、直線状の前方縁部２２での最大幅ｗ1から、中間部分の後方先端にすぐ近い箇所での最小幅ｗ2まで、減少テーパーを有している。これによって、中間部分には、平面で見たときに、いくらか三日月状の全体輪郭が付与されている。
【００２１】
アーチ部１２の周りに配置されたときに、中間部分１４，１４はパッドの中心軸１８に関して対称的に方位付けられており、直線状の前方縁部２２，２２は、中心軸１８と同一線上にある。この位置にあるときに、中間部分における湾曲状の内側縁部２０，２０はアーチの周囲縁部２６に接触しており、また、中間部分は基本的にそのアーチを取り囲んでいる。
【００２２】
キック部１６，１６は両方に、中間部分におけるアーチ形の外側縁部２４に対応する形状のある湾曲状の内側キック縁部２８がある。この内側キック縁部２８は、このキック部の前方先端３２で丸みを帯びた外側キック縁部３０の中へ連なっている。その前方先端から後方へ延在するそれぞれのキック部には、前方先端３２の近くにおける最小幅から初めは増大し、次いでキック部の中間部分に沿って実質的に均一な幅のままである幅ｗkがある。
【００２３】
それぞれのキック部の後方部分で、湾曲状の内側キック縁部２８は直線状の後方縁部３４の中へ連なっている。この直線状の後方縁部は、中心軸１８に一致する線で後方へ延在している。それは、次いで、外側キック縁部３０に連なるまで外方へ傾斜している後方縁部３１で終わっている。前記縁部により輪郭が描かれた後方コーナー部分によって、後方面３３および外側面３５を有している半キック構造体３６が画定されている。
【００２４】
組み立てられると、キック部１６，１６は中心軸１８に関して対称的に方位付けられ、直線状の後方縁部３４，３４が中心軸１８と一致する。このようになると、それぞれのキック部の内側キック縁部２８は、中間部分１４のアーチ形外側縁部２４に接する。キック部の全長は、中間部分におけるそれぞれの外側縁部の周りに少なくとも途中まで延在するのに十分なものである。組み立てられると、半キック部１６，１６は、全体キック区域３７を確立するために、それらのそれぞれの半キック構造体３６，３６とともに組み合わされる。
【００２５】
図３によれば、パッドの過半数には均一の厚さｔpがあることが分かる。しかしながら、その厚さは、キック部の後方部分が前記半キック構造体３６の後方キック壁の中へ連なるときに、少なくとも２倍、好ましくは４倍以上、増大する。この構造体の湾曲状最上部分では、その厚さは、厚さｔpの約６倍であるｔkとして表されている。このように増大した厚さによって、半キック構造体の中にキック袋体５６を配置しかつ固定することができる。このように増大した厚さによって、ユーザーの足のための有効な接触手段をもたらすために、後方起立キック壁５４が隆起することもできる。
【００２６】
それぞれのキック袋体５６には囲まれたキック袋体壁５７が備わっており、この壁によって内側キックチャンバー５８が画定されている（図１３を参照）。このキック袋体５６は、半キック構造体の中間部分を通って後方面３３から外側面３５まで延在する細長状開口５９の内部に固定されている。このチャンバーには、袋体の長さに沿ってクッション効果をもたらすために、先に説明した流体が収容される。このような効果は、そのキック構造体自体が、示されたような湾曲断面を有し、かつ、発泡ゴム、ＥＶＡまたは他のポリマー材料のような弾性材料から構成されているので、高められている。
【００２７】
代わりのキック袋体とキック構造体の内部における袋体方位とは、図１４、図１４Ａ、図１５および図１５Ａに描かれている。図１４および図１４Ａにおいて、後方面３３および外側面３５のそれぞれからポケット状囲み部７０が内方へ延在している。これらの囲み部は、キック構造体における予備成形された開口の中へ挿入されて接着剤によってその中に固定されていてもよい。代わりに、これらの囲み部は、製造過程の間にキック構造体の中へ組み入れられてもよい。
【００２８】
ポケット状囲み部７０の長さは、半キック構造体３６の幅を超えてはならず、また、それぞれの囲み部の長軸は、それぞれの外側面３５に対してほぼ垂直である。これらの囲み部は、高められたクッション効果をもたらすように機能する。これらによれば、内部流体として空気が用いられたときにパッドの重さも軽くなる。
【００２９】
図１５および図１５Ａでは、単一のキック構造体３６′の長さを越えて延在する細長状の管状囲み部７２が示されている。この単一のキック構造体は、図１６〜図１８を参照して以下で考察される代わりの実施形態において示されている。この管状囲み部は、単一のキック構造体の長軸に対してほぼ平行に配置されており、また、対向する外側面３３に相互連結されていてもよい。この管状囲み部の直径は、キック構造体の平均幅よりも小さいものでなければならない。この管状囲み部は、キック構造体を越えて延在する予備成形された開口の内部に嵌められていてもよく、または、製造過程の間にキック構造体と一体に形成されていてもよい。
【００３０】
静止摩擦用パッドのアーチ状カバーおよびパッド本体全体は、前述の全厚（overall thickness：全体の厚さ）ｔpを形成するための柔軟な耐久性材料５３からなっている。この材料は発泡酢酸ビニル（ＥＶＡ）材料から作られているのが好ましい。しかしながら、ネオプレンゴム、ポリマー樹脂および他の同種の材料を用いることができる。パッド本体の上面には、ユーザーの操作の間に増大した静止摩擦力をもたらすために、格子状パターンに構成された隆起した突出部４４が設けられている。しかしながら、他の形状および型の突出部を用いることができるということは、分かるであろう。パッドの下側は、滑らかであって、先に説明したように接着層４２で被覆されているのが好ましい。
【００３１】
図１６〜図１７には代わりの側部組立式パッド１０′が示されており、このパッドには中央部分１３があり、この中央部分には、中央部分の各側縁に隣接してフィットする対向状内側部分１５，１５が接触している。これらの内側部分におけるそれぞれの外側縁部に隣接して、対向状側面部分１７，１７が隣接状に置かれている。
【００３２】
中央部分は、逆Ｔ字にいくらか似ており、単一のキック構造体３６′と一体をなす袋体中央区域６０が備わっている。内側部分のそれぞれの下部区域は、単一のキック構造体３６′の対応上部縁部６１にフィットする、組み合わされた同じ長さの下部縁部を画定するために、頭部が切り落とされている。中央区域６０における袋体４０の位置とパッド１０′の立面輪郭とは、図１に示されたパッド１０に類似している。
【００３３】
図１８には、前記の非組立式単一パッド１０′′からなっている、この発明の簡略化された形態が表されている。このパッドの平面図および立面図は、図１および図１６に示されたパッドに類似している。この単一パッドはスポーツボードに取り付けやすい。また、この単一パッドは、袋体４０の配置と角度方位との融通性がより大きい。そのような場合には、袋体区域６０は、中心軸１８から離間させることができ、または、キック構造体に対して軸方向に動くことができ、または、前記中心軸に対して角度的に整合することができる。
【００３４】
アーチ部１２または袋体区域６０を形成するために、この実施形態に、そして、先に説明した他の実施形態のいずれかに、２つ以上の袋体を用いることができる、ということは分かるであろう。さらにまた、ユーザーの両足を収容するために、２つ以上の足パッドを用意することができる。代わりに、足パッドの中に、２つ以上のアーチ部を、所定の位置および方向で組み入れることができる。例えば、ユーザーの両足を収容するために細長状の足パッドが設けられるときには、そのパッドの中に２つ以上のアーチ部を配置することができる。
【００３５】
操作中に、また、ここで図１１および図１２を参照すれば、ユーザーは、第１の足６２をアーチ部１２に対して横方向に配置する。バランスをとるために必要に応じて、他の足をボードに対して横方向に移動させる。次に、流体が充填されたアーチ状袋体によって、パッドが第１の足の形状に適合することができるようになるであろう。これによって、スポーツボードへの強くて安定したつながりがもたらされる。この袋体によれば、従来の半剛性アーチ状支持部に比べて、ユーザーの足の下側における衝撃の吸収ももたらされる。
【００３６】
操作の際に、アーチ状袋体によって、ユーザーは彼または彼女の膝をいっそう容易にうねらせることができる。これによって、ユーザーの体重のいっそう滑らかな移動が可能になり、また、ボードの速い旋回が促進される。同様に、キック構造体の急角度で傾いた形状によって、ユーザーがボードの最後尾から足を滑り外すことなく強く押すことのできる凸状接触部が形成される。これらの袋体によればパッドがサーフボードのような水上製品とともに使われるときに浮力が増大する、ということもまた分かるであろう。さらに、これらによれば、パッド全体の重量が従来技術の足パッドに比べて減少する。
【００３７】
この明細書に示されかつ開示されたこれらの足パッドは、前記の諸目的を達成するとともに前記の諸利点をもたらす上で十分に有用なものであるが、ここにおける好ましいいくつかの実施形態はこの発明の単なる例示であっていかなる限定もそのために意図しないものである、ということを理解すべきである。
【図面の簡単な説明】
【００３８】
【図１】図１は、この発明の足パッドの平面図である。
【図２】図２は、分解されたそのいくつかの部分を示している図１の足パッドの平面図である。
【図３】図３は、図１の足パッドの側面図である。
【図４】図４は、図１の足パッドの背面図である。
【図５】図５は、サーフボードの上面に取り付けられた図１の足パッドの平面図である。
【図６】図６は、図１の足パッドにおけるアーチ状袋体の平面図である。
【図７】図７は、図６における線７−７に沿った断面図である。
【図８】図８は、図６における線８−８に沿った断面図である。
【図９】図９は、図６における線９−９に沿った断面図である。
【図１０】図１０は、図２の線１０−１０に沿った断面図である。
【図１１】図１１は、ユーザーの足が操作の間に足パッドに横方向に関わり合う方法を示している、図１の足パッドの模式的正面図である。
【図１２】図１２は、図１１の足パッドと足との模式的側面図である。
【図１３】図１３は、図４における線１３−１３に沿った部分断面図である。
【図１４】図１４は、キック構造体における代わりのポケット状袋体を示している、図１３に類似した部分断面図である。
【図１４Ａ】図１４Ａは、図１４の線１４Ａ−１４Ａに沿った立面図である。
【図１５】図１５は、代わりの管状袋体が備わった一体型キック構造体を示している、図１４に類似した部分断面図である。
【図１５Ａ】図１５Ａは、図１５の線１５Ａ−１５Ａに沿った立面図である。
【図１６】図１６は、一体型キック構造体に組み合わされたアーチ部とは異なる組立式部品を有している代わりのパッドの平面図である。
【図１７】図１７は、分解された組立式部品が備わっている、図１６に示されたパッドの平面図である。
【図１８】図１８は、組立式部品がまったくない、代わりの単一パッドの平面図である。
【図１】
2005512894.tif 000003
【図２】
2005512894.tif 000004
【図３】
2005512894.tif 000005
【図４】
2005512894.tif 000006
【図５】
2005512894.tif 000007
【図６】
2005512894.tif 000008
【図７】
2005512894.tif 000009
【図８】
2005512894.tif 000010
【図９】
2005512894.tif 000011
【図１０】
2005512894.tif 000012
【図１１】
2005512894.tif 000013
【図１２】
2005512894.tif 000014
【図１３】
2005512894.tif 000015
【図１４】
2005512894.tif 000016
【図１４Ａ】
2005512894.tif 000017
【図１５】
2005512894.tif 000018
【図１５Ａ】
2005512894.tif 000019
【図１６】
2005512894.tif 000020
【図１８】
2005512894.tif 000021
【図１７】
2005512894.tif 000022
【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
前部および後部を有し、
前記後部に取り付けられた少なくとも１つの足静止摩擦用パッド（１０）を備えており、
前記パッドは、全体として単一のユニットであるカバーまたは互いにフィットして前記カバーをなす部分からなるアセンブリーを含み、
前記パッドは、前記カバーにおける隆起したアーチ状支持部を含むアーチ部を有し、
前記アーチ状支持部が、前記カバーの下にある囲まれた流体媒体からなる圧縮性部材を含み、さらに
前記パッドは、このパッドから上方へ延在し、前記アーチ状支持部から所定距離離間された少なくとも１つの足接触部材（５４）を含む、
サーフボード（１９）。
【請求項２】
前記サーフボードはボード長軸を有し、かつ、前記アーチ状支持部は、前記ボード長軸に対してほぼ同軸または平行をなすアーチ状長軸を有している請求項１に記載のサーフボード。
【請求項３】
前記パッドは、前記アーチ状支持部および前記足接触部材を除いて、全体として平坦面をなす請求項１または２に記載のサーフボード。
【請求項４】
前記後部は最後尾で終わり、前記足接触部材は前記アーチ状支持部と前記最後尾との間に配置されている請求項３に記載のサーフボード。
【請求項５】
前記足接触部材が、少なくとも１つの圧縮性部材を含んでいる請求項３または４に記載のサーフボード。
【請求項６】
前記パッドは中心軸を有し、かつ、前記アーチ状支持部は、前記パッド中心軸に対してほぼ平行であるアーチ状長軸を有している請求項１〜５のいずれかに記載のサーフボード。
【請求項７】
前記パッドはアーチ状開口を有し、前記圧縮性部材は前記アーチ状開口の下に設けられるとともに、このアーチ状開口を通して視認可能とされている請求項１〜６のいずれかに記載のサーフボード。
【請求項８】
前記足接触部材が、前記アーチ状支持部に対して横方向に延在する細長状構造体からなる先行請求項のいずれかに記載のサーフボード。
【請求項９】
少なくとも１つの隆起したアーチ状区域のあるカバーを備えてなる足パッド（１０）を有し、前記アーチ状区域が、流体媒体を含有する少なくとも１つの囲み部を含み、前記足パッドが、前記アーチ状区域から離間された少なくとも１つの隆起した足接触構造体（５４）を含む、スポーツボード。
【請求項１０】
前記流体が、空気、ガス、液体またはゲルである請求項９に記載のスポーツボード。
【請求項１１】
前記アーチ状区域を覆うカバーは切り欠き開口を含み、かつ、前記流体は、粒子、薄片、気泡および／または着色剤を含む請求項１０または１１に記載のスポーツボード。
【請求項１２】
前記囲み部は、前記開口の中へ延在する１つ以上の突出部を有する囲み壁によって画定されている請求項１１に記載のスポーツボード。
【請求項１３】
前記囲み部は囲み壁によって画定された内側部を有し、その囲み壁は、前記内側部の内部にある１つ以上の壁体によって支持されている請求項９〜１２のいずれかに記載のスポーツボード。
【請求項１４】
前記足パッドは中心軸を有し、かつ、前記囲み部は、この中心軸に対してほぼ同軸であるアーチ状長軸を有している請求項９〜１３のいずれかに記載のスポーツボード。
【請求項１５】
前記アーチ状区域を除いて、前記カバーは全厚を有し、かつ、前記足接触構造体が、所定の前記全厚の少なくとも２倍の高さを有している請求項９〜１４のいずれかに記載のスポーツボード。
【請求項１６】
前記足接触構造体が、１つ以上の圧縮性部材を含んでいる請求項９〜１５のいずれかに記載のスポーツボード。
【請求項１７】
前記カバーが、連続的なパッド面を形成するように相互にフィットする複数の部分からなる請求項９〜１６のいずれかに記載のスポーツボード。
【請求項１８】
前記アーチ状区域が、前記足接触構造体と一体をなす中央部を含む請求項９〜１７のいずれかに記載のスポーツボード。
【請求項１９】
前記足接触構造体が、前記部分の少なくとも１つの中にある請求項１７に記載のスポーツボード。
【国際調査報告】
2005512894.tif 000023
2005512894.tif 000024
2005512894.tif 000025